(57)【要約】【課題】樹脂成形品を射出成形あるいは押出成形したときに発生したスクラップや、老朽化して使用済みとなった廃材からなる再生樹脂管を用いたドロップ桝を提供する。【解決手段】上方が開口した所定長さを有する点検掃除口用管１の下端部にインバート２ａが形成され、該インバート２ａと連通して管側壁下部に流出管６の接続部３ａが形成されている。前記点検掃除口用管１は中間層１１が樹脂成形品のスクラップや廃材を粉砕して得た再生原料を含有する樹脂原料で形成され、その内外層が再生原料を含有しない未使用の樹脂原料で形成されると共に、内層及び外層の厚みが管壁全体の５〜３０％に設定されている。【選択図】  図１
2005042363.tif 000002
【特許請求の範囲】
【請求項１】
上方が開口した所定長さを有する点検掃除口用管の下端部にインバートが形成され、該インバートと連通して管側壁下部に流出管の接続部が形成されたドロップ桝であって、前記点検掃除口用管は中間層が樹脂成形品のスクラップや廃材を粉砕して得た再生原料を含有する樹脂原料で形成され、その内外層が再生原料を含有しない未使用の樹脂原料で形成されると共に、内層及び外層のそれぞれの厚みが管壁全体の５〜３０％に設定されていることを特徴とするドロップ桝。
【発明の詳細な説明】
【０００１】
【発明の属する技術分野】
本発明は、再生原料を含有する樹脂原料で中間層が形成されると共に、その内外層が再生原料を含有しない樹脂原料で形成された再生樹脂管からなるドロップ桝に関する。
【０００２】
【従来の技術】
従来から宅地内では、排水が合流する地点に排水桝を設置し、該排水桝に流入管と流出管を接続すると共に、排水桝の上部に点検清掃口用管を接続して地表面まで立ち上げる下水配管が行われている。これに対し、傾斜地やひな壇等の高低差のある宅地では、排水桝に接続する流出管と流入管の高さに落差があるため、特許文献１に提案されているような滝落とし配管が行われている。
【０００３】
【特許文献１】
実用新案登録第２６００３１４号公報
【０００４】
ところで、前記滝落とし配管の点検清掃口用管としては、通常の上下水配管で使用される塩ビ管が使用されているが、近年大量に発生する廃プラの再利用を図るために再生プラスチックからなる合成樹脂管の使用が望まれている。この背景には、樹脂原料からなる家電製品の筐体や、管継手等の建材製品を射出成形するとき、ゲート等の不要部材やスクラップが発生したり、合成樹脂管を連続して押出成形するとき、成形条件が安定するまでの初期段階に大量のスクラップが発生することにある。また、耐用年数が経過して老朽化した合成樹脂管を更新するとき、使用済みとなった廃材が大量に発生することがあるため、このようなスクラップや使用済みとなった廃材の処分が問題となっていることに起因している。
【０００５】
【発明が解決しようとする課題】
従来、樹脂成形品のスクラップや使用済みとなった廃材は焼却処分されたり、地中に埋める等の廃棄処分が行われていたが、樹脂成形品を焼却処分する場合にはダイオキシン等が発生して環境を汚染するという問題がある。また、スクラップや廃材となった樹脂成形品を地中に埋める場合には、埋める場所が問題となるのは勿論のこと、樹脂成形品は長期間に亘って分解・腐食されないため、環境破壊の問題が提起されるに至っている。
【０００６】
そこで、この樹脂成形品のスクラップや使用済みとなった廃材を粉砕し、この再生原料で前記点検清掃口用管を成形することが提案されているが、管全体を再生原料で成形した場合には再生原料中に混入している土砂、金属片、ゴム片等が管表面に突出することがあるため、この再生樹脂管にインバート部材や管継手を接着接合したとき、接続不良が発生して十分な接合強度が得られないという問題があった。また、再生前のスクラップや廃材に着色されていた顔料が模様となって管表面に現れることによって、商品価値が著しく損なわれるという外観上の問題があった。
【０００７】
本発明はかかる課題に着目したものであって、樹脂成形品を射出成形あるいは押出成形したときに発生したスクラップや使用済みとなった廃材を有効活用した再生樹脂管からなるドロップ桝を提供することを目的とする。
【０００８】
【課題を解決するための手段】
上記目的を達成するため、本発明のドロップ桝は、上方が開口した所定長さを有する点検掃除口用管の下端部にインバートが形成され、該インバートと連通して管側壁下部に流出管の接続部が形成されたドロップ桝であって、前記点検掃除口用管は中間層が樹脂成形品のスクラップや廃材を粉砕して得た再生原料を含有する樹脂原料で形成され、その内外層が再生原料を含有しない未使用の樹脂原料で形成されると共に、内層及び外層のそれぞれの厚みが管壁全体の５〜３０％に設定されていることを特徴とする。
【０００９】
【発明の実施の形態】
以下、本発明の実施の形態を図面にて詳細に説明する。図１は本発明の一実施例を示すドロップ桝の使用状態を示す縦断面図、図２は本発明の他の実施例を示すドロップ桝の要部を示す縦断面図、図３は図２に示したドロップ桝で使用するインバート部材の側面図、図４は図３に示したインバート部材の平面図あって、図中の符号１は点検掃除口用管、２ａ、２ｂはインバート部材である。
【００１０】
点検掃除口用管１は押出成形によって製造されるものであって、各種樹脂成形品のスクラップや廃材を粉砕して得た再生原料を含有する樹脂原料で中間層１１が形成されると共に、該中間層１１の内外面が再生原料を含有しない未使用の樹脂原料からなる内外層で被覆されている。
【００１１】
前記中間層１１を形成する再生原料としては、塩ビ、ポリエチレン、ポリプロピレン等からなる樹脂成形品、例えばペットボトル、パソコン・テレビ等の家電製品の筐体や管継手等の建材製品の廃材、射出成形の際に発生したゲート等の不要部材やスクラップを粉砕して得たものが使用できるが、塩化ビニル樹脂からなる使用済みパイプの廃材やスクラップが大量に発生している現状を勘案すると、硬質塩化ビニル樹脂からなる再生原料が好適に使用でき、この中間層１１の内外面を覆う内層及び外層には、再生原料を含有しない未使用の硬質塩化ビニル樹脂が好適に使用できる。なお、中間層１１を形成する樹脂原料は、再生原料のみでなく、再生原料に未使用の樹脂原料が若干混合されていてもよい。
【００１２】
中間層１１の内外面を覆う内層及び外層は、それぞれの厚みが管壁全体の５〜３０％で形成されている。点検掃除口用管１は押出成形によって製造されるため、内層及び外層の厚みが管壁全体の５％未満であると、スクラップや廃材からなる再生原料中に混入している土砂、金属片、ゴム片等の夾雑物が管表面に出現する危険性があり、この厚みが管壁全体の３０％を超えると再生原料を有効活用するという本来の効果が期待できなくなる。点検掃除口用管１をサイズ２００のＶＵ管仕様とする場合には、管外径が２１６ｍｍ、管壁全体の厚みが７ｍｍとなるため、内層及び外層のそれぞれの厚みが１５％程度となるように、例えば内層１ｍｍ、中間層５ｍｍ、外層  １ｍｍに設定するのが好ましい。
【００１３】
また、中間層１１の外面を覆う外層樹脂の色調は、通常下水配管で使用される合成樹脂管の色調に合わせてグレーとすることができるが、内層樹脂の色調は白、アイボリー、ベージュ等の比較的明るい色調とするのが好ましい。このように、点検掃除口用管１の内周面を明るい色調にすると、この影響で管内が明るくなり、配管施工を行う際や管内の点検及び清掃作業を行う際に、ライト等の照明器具を用いなくても黙視できるため、作業が迅速かつ的確に行えるという利点がある。
【００１４】
以上の構成からなる点検掃除口用管１は上方が開口しており、その開口端部に蓋５が着脱自在に装着されと共に、点検掃除口用管１の下端部にインバート部材２ａが接着接合される。円盤状に形成されたインバート部材２ａの上面はすり鉢状に湾曲しており、このインバート上面と連通して点検掃除口用管１の側壁下部に形成された通孔に継手３ａが接着接続される。流出管６はその一端部が前記継手３ａに接続され、他端部が図示しない排水本管に接続される。また、点検掃除口用管１の側壁上部に流入管７が接続される。このとき、点検掃除口用管１の側壁適所に穿設した貫通孔に継手４が接続され、該継手４を介して流入管７が接続される。
【００１５】
図２に示した実施例のインバート部材２ｂは、前記実施例におけるインバート部材２ａと継手３ａとを一体構造としたものである。すなわち、この実施例のインバート部材２ｂは、点検掃除口用管１の下端部に装着される円盤状の底板２１の上面がすり鉢状に湾曲しており、該底板２１の一側部に側壁２２が形成されると共に、該側壁２２に継手３ｂが一体的に接続した構成からなっている。前記側壁２２の外壁２２１と内壁２２２との間には連続した湾曲溝２３が形成されており、該湾曲溝２３に点検掃除口用管１の下端部に形成した逆Ｕ字状の切欠部が嵌入して接着接合されると共に、側壁２２が存在しない底板２１の外周面には点検掃除口用管１の下端部が外嵌して接着接合される。
【００１６】
図１に示した前記実施例の場合には、インバート部材２ａと継手３ａとが別体構造となっているため、インバート部材２ａの上面に形成されるインバート上面と継手３ａの内周下面に段差ができて面一にならない場合があるが、図２に示したこの実施例の場合には、インバート部材２ｂと継手３ｂとが一体成形されているため、このような不都合が発生することもない。
【００１７】
また、この実施例のインバート部材２ｂは継手３ｂと一体的に射出成形されるため、この成形品の中間層を各種樹脂成形品のスクラップや廃材を粉砕して得た再生原料で形成すると共に、該中間層の内外面を再生原料を含有しない未使用の樹脂原料からなる内層と外層で被覆するようにしてもよい。
【００１８】
本発明のドロップ桝は、図１に断面図で示した如く地中に埋設されるものであって、掘削した溝内の所定位置に安定した状態で設置する。そこで、地表面の近傍位置まで立ち上げた点検掃除口用管２の上端開口部に蓋５を着脱自在に装着し、点検掃除口用管２の側壁下部に設けた継手３ａ（３ｂ）に流出管６を接続する。また、点検掃除口用管１の側壁適所、すなわち流入管７が接続される方向や高さ位置に合わせて点検掃除口用管１の管壁適所に貫通孔を穿設し、該貫通孔に継手４を接続してから流入管７を接続する。かくして、流入管７から点検掃除口用管１内に流入して落下した汚水は流出管６から図示しない排水本管に排出されることになる。
【００１９】
【発明の効果】
以上詳述した如く、本発明のドロップ桝は樹脂成形品を射出成形あるいは押出成形したときに発生したスクラップや、老朽化して使用済みとなった廃材からなる再生樹脂管を点検用掃除口用管として使用するため、環境汚染の防止と共に省資源への貢献が大きい。また、再生原料からなる中間層の内外面が再生原料を含有しない未使用の樹脂原料で覆われ、その内層及び外層の厚みが管壁全体の５〜３０％となっているので、再生原料中に混入している土砂、金属片、ゴム片等が管表面に突出することもなく、外観良好にして商品価値の高いドロップ桝が得られる。
【図面の簡単な説明】
【図１】図１は本発明の一実施例を示すドロップ桝の使用状態を示す縦断面図である。
【図２】図２は本発明の他の実施例を示すドロップ桝の要部を示す縦断面図である。
【図３】図３は図２に示したドロップ桝で使用するインバート部材の側面図である。
【図４】図４は図３に示したインバート部材の平面図である。
【符号の説明】
１    点検掃除口用管
１１    中間層
２ａ，２ｂ    インバート部材
３ｂ，３ｂ    流出管
４    継手
５    蓋
６    流出管
７    流入管
【図１】
2005042363.tif 000003
【図２】
2005042363.tif 000004
【図３】
2005042363.tif 000005
【図４】
2005042363.tif 000006